(57)【特許請求の範囲】
【請求項１】
屋根材の上に設置される被設置物を支持する支持体であって、
前記支持体は、使用時に前記屋根材の少なくとも一部を覆うように構成され、
前記支持体の、前記屋根材に面する一面は、前記屋根材の表面に合わせた形状を有し、
前記屋根材は瓦であり、
前記支持体は、前記瓦の上面の７０％以上の領域に当接するよう構成されている、支持体。
【請求項２】
前記屋根材は、傾斜した屋根に設けられており、
使用時に傾斜した屋根の最大傾斜線に沿って高い方から低い方へ向かう流れ方向の上流側に向けられる前記支持体の一端部は、前記支持体によって覆われる前記屋根材から離れる方向に突出した突出部を有する、請求項１に記載の支持体。
【請求項３】
前記屋根材は、傾斜した屋根に設けられており、
使用時に傾斜した屋根の最大傾斜線に沿って高い方から低い方へ向かう流れ方向の上流側に向けられる前記支持体の一端部に、防水部材が設けられている、請求項１又は２に記載の支持体。
【請求項４】
前記屋根材は、傾斜した屋根に設けられており、
使用時に傾斜した屋根の最大傾斜線に沿って高い方から低い方へ向かう流れ方向の下流側に向けられる前記支持体の一端部は、前記支持体により覆われる前記屋根材の下側に位置するように曲げられた湾曲部を有する、請求項１から３のいずれか１項に記載の支持体。
【請求項５】
前記支持体を固定する固定部材が通る穴を有する、請求項１から４のいずれか１項に記載の支持体。
【請求項６】
前記支持体の、前記屋根材に向けられる面における少なくとも前記穴が形成される領域に防水部材が設けられている、請求項５に記載の支持体。
【請求項７】
前記支持体の、前記屋根材に向けられる面とは反対側の面において前記穴が形成される固定領域は、前記固定領域の周りの領域よりも盛り上がった位置に設けられている、請求項５又は６に記載の支持体。
【請求項８】
前記固定領域は、前記固定領域の周りの領域よりも２段階で盛り上がった位置に設けられている、請求項７に記載の支持体。
【請求項９】
請求項１から８のいずれか１項に記載の支持体と、前記被設置物と、を有し、
前記被設置物は、パネルと、前記パネルを支持する支持部材と、を含む、パネル構造体。
【請求項１０】
使用時に瓦からなる屋根材の少なくとも一部を覆うように構成される支持体であって、前記屋根材に面する一面が前記屋根材の表面に合わせた形状を有し、前記瓦の上面の７０％以上の領域に当接するよう構成されている支持体を準備するステップと、
前記屋根材を覆うように前記支持体を配置するステップと、
少なくとも前記支持体と、前記屋根材と、前記屋根材の下に配置された下地材と、を固定部材で固定するステップと、を有する、支持体の設置方法。
【請求項１１】
前記屋根材は瓦であり、
前記支持体を配置する前記ステップにおいて、屋根から前記瓦を取り外すことなく前記瓦を覆うように前記支持体を配置する、請求項１０に記載の支持体の設置方法。
【請求項１２】
前記屋根材は瓦であり、
前記支持体を配置する前記ステップは、
前記支持体によって覆われる前記瓦のみを屋根から取り外すことと、
前記屋根から取り外した前記瓦を前記支持体で覆った状態で、前記瓦を前記屋根に戻すことと、を含む、請求項１０に記載の支持体の設置方法。
【発明の詳細な説明】
【技術分野】
【０００１】
本発明は、屋根材に被設置物を設置するために用いられる支持体、当該支持体を含むパネル構造体、及び当該支持体の設置方法に関する。
【背景技術】
【０００２】
近年、複数の太陽電池モジュールのようなパネルアレイが建造物の屋根に設置されることがある。下記の特許文献１は、瓦屋根に太陽電池モジュールを取り付けるための取付装置を開示している。
【０００３】
特許文献１では、取付装置は、屋根構造体の上面に支持されるカバー体と、太陽電池モジュールを支持する支持体と、を含む。カバー体は、本来の屋根材を構成する瓦とほぼ同様の形状を有する。カバー体は、多数の瓦のうちの１つを取り除いた箇所に配置されている。カバー体は貫通孔を有しており、支持体は、カバー体の貫通孔内に挿通されている。これにより、支持体は、カバー体に支えられることなく、屋根構造体の上面、すなわち瓦の下の野地板に支えられる。支持体は、木ねじによって野地板に固定されている。また、支持体を屋根構造体に強固に固定するため、木ねじは、野地板の上に設けられたベニヤ合板のような補強材と、野地板の両方に打ち込まれている（特許文献１の図３参照）。
【先行技術文献】
【特許文献】
【０００４】
【特許文献１】特許第４１１２４０５号公報
【発明の概要】
【発明が解決しようとする課題】
【０００５】
特許文献１に記載された取付装置では、支持体が屋根構造体に支えられている。そのため、太陽電池モジュールの荷重は、瓦のような屋根材に伝わることなく、支持体を介して補強材及び野地板に伝わる。したがって、本来的に荷重を受けることが想定されていない屋根材に、過度の負荷（荷重）がかかることを抑制することができる。
【０００６】
しかしながら、特許文献１に記載された取付装置を設置する場合、屋根材を構成する多数の瓦のうちの一部の瓦を取り除く必要がある。そのため、カバー体は、本来の瓦の機能を維持できるよう構成されなければならない。例えば、雨水のような液体がカバー体の貫通孔から浸入することを防止するため、カバー体に、特有の防水構造が設けられる。
【０００７】
また、屋根に本来備わっている瓦を取り外してからカバー体を設置する必要があるため、取付装置の設置に手間がかかることもあり得る。
【０００８】
以上のような観点から、本来の屋根材を用いつつ、屋根材にかかる荷重を抑制することができる構造が望まれる。
【課題を解決するための手段】
【０００９】
一態様に係る支持体は、屋根材の上に設置される被設置物を支持する支持体である。前記支持体は、使用時に前記屋根材の少なくとも一部を覆うように構成され、前記支持体の、
前記屋根材に面する一面は、前記屋根材の表面に合わせた形状を有し、前記屋根材は瓦であり、前記支持体は、前記瓦の上面の７０％以上の領域に当接するよう構成されている。
【００１０】
一態様に係るパネル構造体は、上記の支持体と、前記被設置物と、を有し、前記被設置物は、パネルと、前記パネルを支持する支持部材と、を含む。
【００１１】
一態様に係る支持体の設置方法は、使用時に瓦からなる屋根材の少なくとも一部を覆うように構成される支持体であって、前記屋根材に面する一面が前記屋根材の表面に合わせた形状を有し、前記瓦の上面の７０％以上の領域に当接するよう構成されている支持体を準備するステップと、前記屋根材を覆うように前記支持体を配置するステップと、少なくとも前記支持体と、前記屋根材と、前記屋根材の下に配置された下地材と、を固定部材で固定するステップと、を有する、
【発明の効果】
【００１２】
上記態様によれば、瓦にかかる単位面積あたりの荷重（圧力）が軽減され、本来の屋根材を用いつつ、屋根材にかかる荷重を抑制することができる。
【図面の簡単な説明】
【００１３】
【図１】第１実施形態に係るパネル構造体の模式図である。
【図２】図１の矢印Ｆ２方向から見たパネル構造体の断面図である。
【図３】パネル構造体を構成する第１支持部材の斜視図である。
【図４】第１実施形態に係る支持体の斜視図である。
【図５】図４の５Ａ−５Ａ線に沿った支持体の断面図である。
【図６】第１実施形態に係る支持体と瓦を示す斜視図である。
【図７】第２実施形態に係る支持体の断面図である。
【図８】第３実施形態に係る支持体の断面図である。
【図９】第４実施形態に係る支持体の断面図である。
【図１０】第５実施形態に係る支持体の断面図である。
【発明を実施するための形態】
【００１４】
以下、図面を参照して、実施形態について説明する。以下の図面において、同一又は類似の部分には、同一又は類似の符号を付している。ただし、図面は模式的なものであり、各寸法の比率等は現実のものとは異なることがあることに留意すべきである。
【００１５】
（１）第１実施形態
図１は、第１実施形態に係るパネル構造体の模式図である。図２は、図１の矢印Ｆ２方向から見たパネル構造体の断面図である。図３は、パネル構造体を構成する第１支持部材の斜視図である。図４は、第１実施形態に係る支持体の斜視図である。図５は、図４の５Ａ−５Ａ線に沿った支持体の断面図である。図６は、第１実施形態に係る支持体と瓦を示す斜視図である。
【００１６】
パネル構造体は、太陽電池モジュールのようなパネル２０と、パネルを支持する支持部材１１０，１２０と、パネル２０及び支持部材１１０，１２０を支持する支持体２００と、を有する。本実施形態では、パネル２０は、太陽電池モジュールのようなパネルであってよい。本実施形態では、パネル２０は、傾斜した屋根１０上に設置される。
【００１７】
本明細書において、傾斜した屋根１０において最大傾斜線に沿って高い方から低い方へ向かう方向を「流れ方向Ｆ１」と称する。流れ方向Ｆ１の上流側を「水上側」と称する。流れ方向Ｆ１の下流側を「水下側」と称する。また、流れ方向Ｆ１と直交し、かつ屋根面に沿った方向を「横方向Ｆ２」と称する。
【００１８】
本実施形態では、建造物の屋根は、屋根材として複数の和瓦（以降、「瓦」と称する）が敷き詰められた瓦屋根である。屋根１０に設けられた複数の瓦１２は流れ方向Ｆ１と横方向Ｆ２とに並んでいてよい。なお、図１では、瓦１２を平板状に簡略化して図示している。
【００１９】
支持体２００は、使用時に瓦１２の少なくとも一部を覆うように構成されている。本実施形態では、支持体２００は、屋根に敷き詰められた複数の瓦１２のうちの１つを覆う。支持体２００の、瓦１２に面する一面は、瓦１２の表面に合わせた形状を有する。
【００２０】
支持体２００は、例えば、板金又は合成樹脂から構成されていてよい。支持体２００は、端部及び後述する固定領域２５０を除き、１ｃｍ以下、好ましくは５ｍｍ以下の厚みを有することが好ましい。
【００２１】
支持体２００は、瓦１２を覆った状態で、例えばアンカーや螺子のような固定部材３００によって、瓦１２を介して、瓦１２の下に配置された野地板を含む下地材１４に固定されていてよい。
【００２２】
瓦１２の下に配置された下地材１４と、瓦１２の間に固定台９０が設けられていても良い。この場合、固定部材３００は、瓦１２を介して、固定台９０及び下地材１４に挿通される。このような固定台９０を利用することにより、固定部材３００が下地材１４から抜けにくくなるため、支持体２００をよりしっかりと固定することができる。固定台９０は、瓦１２に接するように設けられていても良く、瓦１２から離れて設けられていても良い。固定台９０が瓦１２に接している場合は、固定台９０は瓦１２を支持する効果を奏する。もっとも、固定台９０は、必ずしも必要な部材ではない。
【００２３】
支持体２００の上に被設置物が搭載される。被設置物は、太陽電池モジュールのようなパネル２０であってよい。本実施形態では、被設置物は、パネル２０と、第１支持部材１１０と、第２支持部材１２０と、を含んでいてよい。
【００２４】
一例として、第１支持部材１１０は、一方向（図中のＦ１方向）に沿って延びており、支持体２００に固定される。第１支持部材１１０は、アンカーや螺子のような固定部材３００によって支持体２００に直接固定されていてよい。本実施形態においては、固定部材３００は、第１支持部材１１０と支持体２００と下地材１４とを固定している。この代わりに、第１支持部材１１０と支持体２００とを固定する固定部材と、支持体２００と下地材１４とを固定する固定部材とは、互いに異なる部材から構成されていてもよい。
【００２５】
第２支持部材１２０は、第１支持部材１１０が延びている方向に交差する方向（図中のＦ２方向）に沿って延びている。第２支持部材１２０は、少なくとも２つの第１支持部材１１０にわたって延びていてよい。第２支持部材１２０は、第１支持部材１１０上に配置される。
【００２６】
複数のパネル２０は、互いに交差する方向に沿って並んでいてよい。各々のパネル２０は、互いに隣接する第２支持部材１２０どうしによって支持されていてよい。
【００２７】
複数の第２支持部材１２０は、両端（最も水下側と最も水上側）に配置された２つを除き、同一の構造を有していてよい。また、両端に配置された２つの第２支持部材１２０は、両端以外に配置された第２支持部材１２０と同一の構造を有していてもよい。
【００２８】
第１支持部材１１０は、一方向に沿って延びていてよい。第１支持部材１１０は、上面が開口した細長い中空の四角柱状に形成されていてよい。より具体的には、第１支持部材１１０の上面には、第１支持部材１１０が延びる方向に沿って延びた開口が形成されていてよい。第１支持部材１１０の上面１１２は、開口を挟んで両側に位置している。第１支持部材１１０の上面１１２、すなわち第１支持部材１１０の上面は、第２支持部材１２０を載せる面を構成する。
【００２９】
第２支持部材１２０は、互いに隣接する２つのパネル２０をそれぞれ積載する第１積載面１２６ａ及び第２積載面１２６ｂを有していてよい。第２支持部材１２０は、第１支持部材１１０に接する底部１２２を有する。第１積載面１２６ａ及び第２積載面１２６ｂは、底部１２２よりも上方に位置していてよい。具体的には、第１積載面１２６ａ及び第２積載面１２６ｂは、それぞれ底部１２２から上方に延びる支持部分によって底部１２２より上方に支持されている。また、第２支持部材１２０は、第１積載面１２６ａと第２の積載面１２６ｂとを仕切る側面当接部１２８を有していてよい。側面当接部１２８は、第１積載面１２６ａ及び第２積載面１２６ｂに積載された一対のパネル２０の側面に当接する。
【００３０】
第２支持部材１２０はフランジ１２９を有していてよい。フランジ１２９は、第１積載面１２６ａ及び第２積載面１２６ｂに積載された一対のパネル２０の上面の端部を覆うように、側面当接部１２８の上部から突出している。
【００３１】
第１固定具１３０及び第２固定具１４０が第１支持部材１１０に取り付けられていてよい。第１固定具１３０及び／又は第２固定具１４０は、第１支持部材１１０に対して着脱可能に構成されていてもよく、第１支持部材１１０に対して着脱不能に構成されていてもよい。
【００３２】
第１固定具１３０は、第１押圧部１３２を有していてよい。第１押圧部１３２は、第２支持部材１２０の底部１２２の一端を第１支持部材１１０の上面１１２へ押圧する。第２固定具１４０は、第２押圧部１４２を有していてよい。第２押圧部１４２は、第２支持部材１２０の底部１２２の他端を第１支持部材１１０の上面１１２へ押圧する。このように、第２支持部材１２０は、第１固定具１３０及び第２固定具１４０によって第１支持部材１１０に固定されていてよい。
【００３３】
第１固定具１３０は、第１支持部材１１０の上面１１２よりも下方に延びており、第１支持部材１１０の上面１１２よりも下方で第１支持部材１１０に沿って延びていてよい。第２固定具１４０は、第１支持部材１１０の上面１１２よりも下方に延びており、第１支持部材１１０の上面１１２よりも下方で第１固定具１３０と対向していてよい。第２固定具１４０は、例えばボルトのような締結部材１６０によって第１固定具１３０に固定されていてよい。
【００３４】
上記態様によれば、パネル２０、第１支持部材１１０及び第２支持部材１２０のような被設置物の荷重は、支持体２００を介して瓦１２へかかることになる。ここで、支持体２００の、瓦１２に面する一面は、瓦１２の表面に合わせた形状を有するため、支持体２００は、一定の２次元的な領域において瓦１２に当接する。したがって、瓦１２にかかる単位面積あたりの荷重（圧力）が軽減される。これにより、本来の瓦１２を用いつつ、瓦１２にかかる荷重を抑制することができる。
【００３５】
瓦１２に係る圧力を軽減するという観点から、支持体２００は、瓦１２の上面の好ましくは７０％、より好ましくは８０％、さらに好ましくは９０％以上の領域に当接するよう構成されていてよい。
【００３６】
被設置物は、図１及び図２に示すように、複数の支持体２００によって支持されることが好ましい。これにより、瓦１２に係る圧力をより軽減することができる。
【００３７】
また、使用時に流れ方向Ｆ１の上流側に向けられる支持体２００の一端部は、支持体２００によって覆われる瓦１２から離れる方向に突出した突出部２２０を有していてよい（図２，４，５参照）。突出部２２０は、横方向Ｆ２に長く延びていてよい。突出部２２０は、風等の影響により雨水のような液体が流れ方向Ｆ１の上流側に向かうことを防止する。これにより、瓦１２の下に液体が浸入することを抑制することができる。なお、突出部２２０は、支持体２００によって覆われる瓦１２の流れ方向Ｆ１における上流側に隣接する瓦１２の下に配置されていてよい。
【００３８】
使用時に流れ方向Ｆ１の下流側に向けられる支持体２００の一端部は、支持体２００により覆われる瓦１２の下側に位置するように曲げられた湾曲部２１０を有していてよい。湾曲部２１０は、横方向に延びる一辺のほぼ全体にわたって延びていてよい。これにより、支持体２００を流れ方向Ｆ１の下流側から上流側に向けて動かすことにより、瓦１２上に支持体２００を容易に設置することができる。湾曲部２１０は、瓦１２に対する支持体２００の位置決めを行う機能も有する。
【００３９】
また、流れ方向Ｆ１に直交する横方向Ｆ２における支持体２００の幅は、横方向Ｆ２における瓦１２の働き幅（利き幅）以下であってもよい。この場合、支持体２００を瓦１２にかぶせる際に、支持体２００を横方向Ｆ２に隣接する瓦１２の下に挿入する必要がないため、支持体２００をより容易に設置することができる。この代わりに、流れ方向Ｆ１に直交する横方向Ｆ２における支持体２００の幅は、横方向Ｆ２における瓦１２の働き幅（利き幅）より大きくてもよい。
【００４０】
支持体２００は、支持体２００を固定する固定部材３００が通る穴２８０を有していてよい。穴２８０は、使用前に予め開けられていても良く、使用時に固定部材３００によって開けられてもよい。穴２８０は、少なくとも１つ、好ましくは複数設けられる。
【００４１】
支持体２００の、屋根材に向けられる面とは反対側の面において穴２８０が形成される領域２５０（以下、「固定領域」と称することがある。）は、固定領域２５０の周りの領域２０２よりも盛り上がった位置に設けられていることが好ましい。すなわち、固定領域２５０は、横方向Ｆ２に沿った断面において、使用時に重力方向に最も凹んだ位置よりも高い位置に存在する。これにより、雨水のような液体は、固定領域２５０に流れ込み難くなる。したがって、穴２８０を通って雨水のような液体が支持体２００及び瓦１２の下側へ浸入することを抑制することができる。
【００４２】
支持体２００の、瓦１２に向けられる面における少なくとも穴２８０が形成される領域（以下、「固定領域」と称することがある。）に防水部材２９０が設けられていてもよい（図５）。これにより、穴２８０を通って雨水のような液体が支持体２００及び瓦１２の下側へ浸入することをより抑制することができる。
【００４３】
防水部材２９０は、少なくとも穴２８０の周りに設けられていればよい。この代わりに、防水部材２９０は、支持体２００の、瓦１２に面する一面において、固定領域２５０の周りの領域２０２と面一になるように設けられていても良い。この場合、支持体２００が瓦１２に接する面積が大きくなるため、被設置物からの負荷をより分散させることができる。
【００４４】
上述した実施形態では、屋根は、複数の瓦１２を有する瓦屋根であった。この代わりに、上述した支持体２００は、瓦屋根以外の屋根にも適用できる。この場合、支持体２００は、使用時に屋根材の少なくとも一部を覆うように構成され、支持体２００の、屋根材に面する一面は、屋根材の表面に合わせた形状を有していればよい。これにより、被設置物からの荷重（圧力）を分散させることができる。
【００４５】
ただし、支持体２００は、瓦屋根に適用することがより好ましい。以下、この点について詳細に説明する。
【００４６】
特許文献１に記載されたような取付装置では、支持体は、瓦の下の野地板上に設置される。しかしながら、野地板では支持体上に設置される架台やパネルの荷重を支持することが困難な場合がある。そのため、野地板上に補強板を設置し、補強板上に支持体を固定することが一般的である。補強板を野地板に直接ビス止めするとビスが抜けやすい。そのため、補強板を固定するためのビスは、野地板を支持する垂木に打ち込まれる。より具体的には、補強板は、横方向Ｆ２において２本の垂木にわたって配置され、２本の垂木のそれぞれに打ち込まれたビスによって固定される。
【００４７】
ここで、一般的な瓦の幅は２６５ｍｍであり、垂木どうしの間のピッチは４５５ｍｍである。したがって、１つの瓦を取り外したとしても、１つの瓦を取り外した箇所に垂木が存在するとは限らない。横方向Ｆ２に隣接する２つの垂木に確実にビスを打ち込むためには、３枚の瓦を取り外す必要がある。
【００４８】
したがって、特許文献１に記載されたような取付装置では、３枚の瓦を取り外し、補強板をビス止めした後に、２枚の瓦を元に戻すとともに１枚のカバー体（瓦を模したもの）を設置することが一般的である。
【００４９】
以上のように、瓦屋根に特許文献１に記載されたような取付装置を設置する場合、被設置物の荷重を支えるため、垂木にビス止めすることが一般的であり、これにより、一旦取り外す瓦の枚数が多くなってしまう。
【００５０】
これに対し、本実施形態によれば、本来の瓦１２を利用し、かつ支持体２００によって本来の瓦１２にかかる負荷を分散させることができる。したがって、固定部材３００に高い負荷がかかるわけではないので、固定部材３００を必ずしも垂木に刺す必要は無い。よって、支持体２００及び支持体２００によって支持される被設置物を設置する際に、複数枚の瓦１２を取り外す必要はない。
【００５１】
好ましくは、支持体２００を設置する際に、瓦１２を１枚も取り外す必要がない。具体的には、支持体２００の設置方法において、まず、支持体２００を準備する。支持体２００の構成は、前述したとおりである。次に、屋根から瓦１２を取り外すことなく瓦１２を覆うように支持体２００を配置する。
【００５２】
次に、少なくとも支持体２００と、瓦１２と、瓦１２の下に配置された下地材１４と、を固定部材３００で固定する。なお、固定部材３００は、支持体２００上に置かれた被設置物、例えば第１支持部材１１０とともに、支持体２００と、瓦１２と、下地材１４とを固定してもよい。
【００５３】
固定部材３００で支持体２００と瓦１２と下地材１４とを固定する前に、支持体２００の穴２８０を介してドリルによって瓦１２に穴をあけることが好ましい。この代わりに、ドリルによって支持体２００と瓦１２の両方に一気に穴をあけてもよい。固定部材３００は、この穴を通るように設けられる。
【００５４】
上記設置方法の代わりに、支持体２００を設置する際に、１枚の瓦１２を取り外してもよい。具体的には、支持体２００の設置方法において、支持体２００を準備する。支持体２００の構成は、前述したとおりである。次に、支持体２００によって覆われる瓦１２のみを屋根から取り外す。必要に応じて、固定台９０を下地材１４に固定する。次に、支持体２００で屋根から取り外した瓦１２を覆った状態で、瓦１２を屋根に戻す。次に、少なくとも支持体２００と、瓦１２と、瓦１２の下に配置された下地材１４と、を固定部材３００で固定する（固定部材９０が下地材１４上に設置された場合は固定台９０も固定される）。なお、固定部材３００は、支持体２００上に置かれた被設置物、例えば第１支持部材１１０とともに、支持体２００と、瓦１２と、下地材１４とを固定してもよい。
【００５５】
前述した設置方法によれば、屋根から瓦１２を取り外さないか、一旦とり外す瓦１２を１枚に抑制することができるため、被設置物の設置作業が簡易化される。
【００５６】
（２）第２実施形態
以下、図７を参照して第２実施形態に係る支持体２００について説明する。以下では第１実施形態に係る支持体と異なる構成について詳細に説明する。図７は、第２実施形態に係る支持体２００の断面図である。
【００５７】
第２実施形態に係る支持体２００では、流れ方向Ｆ１における下流側の支持体２００の端部２１０ａは、支持体２００により覆われる瓦１２の下側に位置するように曲げられた湾曲部２１０を有していない。この代わりに、流れ方向Ｆ１における下流側の支持体２００の端部２１０ａは、支持体２００により覆われる瓦１２の下流側に位置する瓦１２の一部を覆うよう構成されている。
【００５８】
また、流れ方向Ｆ１における上流側の支持体２００の端部２２０ａは、支持体２００により覆われる瓦１２から離れる方向に突出する突出部を有していない。この場合、流れ方向Ｆ１における上流側の支持体２００の端部２２０ａを、支持体２００により覆われる瓦１２の上流側に位置する瓦１２の下に容易に挿入することができる。また、上流側から流れてくる雨水が、支持体２００の下流側に位置する瓦に流れやすくなる。
【００５９】
（３）第３実施形態
以下、図８を参照して第３実施形態に係る支持体２００について説明する。以下では第１実施形態に係る支持体と異なる構成について詳細に説明する。図８は、第３実施形態に係る支持体２００の断面図である。
【００６０】
第３実施形態に係る支持体２００では、固定領域２５０は、固定領域２５０の周りの領域２０２よりも２段階で盛り上がった位置に設けられている。具体的には、固定領域２５０の周りの領域２０２よりも１段階で盛り上がった一次盛り上がり部２５２から更に盛り上がった位置に、固定領域２５０が設けられている。これにより、雨水のような液体は、固定領域２５０により流れ込み難くなる。したがって、穴２８０を通って雨水のような液体が支持体２００及び瓦１２の下側へ浸入することをより抑制することができる。
【００６１】
さらに、固定領域２５０に設けられた複数の穴２８０どうしの間の領域は、一次盛り上がり部２５２の位置まで凹んでいることが好ましい。これにより、仮に固定領域２５０に雨水のような液体が浸入したとしても、液体は、穴２８０どうしの間の一次盛り上がり部２５２の位置に導かれやすくなる。したがって、穴２８０を通って雨水のような液体が支持体２００及び瓦１２の下側へ浸入することをより抑制することができる。
【００６２】
（４）第４実施形態
以下、図９を参照して第４実施形態に係る支持体２００について説明する。以下では第３実施形態に係る支持体と異なる構成について詳細に説明する。図９は、第４実施形態に係る支持体２００の断面図である。
【００６３】
第４実施形態に係る支持体２００では、固定領域２５０は、固定領域２５０の周りの領域２０２よりも２段階で盛り上がった位置に設けられている。具体的には、固定領域２５０の周りの領域２０２よりも１段階で盛り上がった一次盛り上がり部２５２から更に盛り上がった位置に、固定領域２５０が設けられている。
【００６４】
さらに、固定領域２５０に設けられた複数の穴２８０どうしの間の領域は、固定領域２５０の周りの領域２０２のレベルまで２段階で凹んでいる。これにより、仮に固定領域２５０に雨水のような液体が浸入したとしても、液体は、固定領域２５０の周りの領域２０２に導かれやすくなる。したがって、穴２８０を通って雨水のような液体が支持体２００及び瓦１２の下側へ浸入することをより抑制することができる。
【００６５】
（５）第５実施形態
以下、図１０を参照して第５実施形態に係る支持体２００について説明する。以下では第１実施形態に係る支持体と異なる構成について詳細に説明する。図１０は、第５実施形態に係る支持体２００の断面図である。
【００６６】
第５実施形態に係る支持体２００では、使用時に流れ方向Ｆ１の上流側に向けられる支持体２００の一端部の表面に、防水部材２７０が設けられている。防水部材２７０は、横方向Ｆ２に長く延びていてよい。防水部材２７０は、風等の影響により雨水のような液体が流れ方向Ｆ１の上流側に向かうことを防止する。これにより、瓦１２の下に液体が浸入することを抑制することができる。
【００６７】
防水部材２７０は、支持体２００によって覆われる瓦１２の流れ方向Ｆ１における上流側に隣接する瓦１２の下に配置されていてよい。防水部材２７０は、弾性部材から構成されていることが好ましい。
【００６８】
また、横方向Ｆ２における支持体２００の一端部を、支持体２００によって覆われる瓦１２に横方向Ｆ２に隣接する瓦１２の下に配置させる場合、横方向Ｆ２における支持体２００の当該一端部の表面に防水部材２７２が設けられていても良い。これにより、横方向Ｆ２に隣接する瓦１２の下に液体が浸入することを抑制することができる。
【００６９】
同様に、流れ方向Ｆ１における下流側の瓦１２や横方向Ｆ２に隣接する瓦１２の上に支持体２００の一端部が位置する場合は、その端部に沿って、支持体２００の裏面に防水部材が設けられていてもよい。
【００７０】
（６）その他の実施形態
上述したように、複数の実施形態を通じて本発明の内容を開示したが、この開示の一部をなす論述及び図面は、本発明を限定するものであると理解すべきではない。この開示から当業者には様々な代替の実施形態、実施例及び運用技術が明らかとなる。したがって、本発明の技術的範囲は、上述の説明から妥当な特許請求の範囲に係る発明特定事項によってのみ定められるものである。
【００７１】
例えば、上述した実施形態では、屋根は、複数の和瓦を有する瓦屋根であった。この代わりに、上述した支持体２００は、和瓦のみならず、洋瓦や平板瓦などの瓦屋根に適用可能であり、瓦屋根以外の屋根にも適用できる。この場合、支持体２００は、使用時に屋根材の少なくとも一部を覆うように構成され、支持体の、屋根材に面する一面は、屋根材の表面に合わせた形状を有していればよい。これにより、被設置物からの荷重を（圧力）を分散させることができるようになる。
【００７２】
また、互いに異なる実施形態で説明した各特徴は、可能な限り互いに適用及び／又は置き換え可能であることに留意されたい。
【符号の説明】
【００７３】
１０      屋根
１２      瓦
２０      パネル（被設置物）
１１０    第１支持部材（被設置物）
１２０    第２支持部材（被設置物）
２００    支持体
【図１】
0006987531.tif 000002
【図２】
0006987531.tif 000003
【図３】
0006987531.tif 000004
【図４】
0006987531.tif 000005
【図５】
0006987531.tif 000006
【図６】
0006987531.tif 000007
【図７】
0006987531.tif 000008
【図８】
0006987531.tif 000009
【図９】
0006987531.tif 000010
【図１０】
0006987531.tif 000011